(57)【特許請求の範囲】
【請求項１】
複数の椎体にそれぞれ固定して創内に埋入させる左右一対の固定ねじと、該固定ねじの頭部に接続して一部を創外に突出させる接続ピンと、各接続ピン相互の間隔を創外で調節可能に固定する固定具とから成る脊椎創外固定器において、上記固定ねじはその頭部に連通する細孔を備え、接続ピンは該細孔に挿着される針状突起を有すると共に、上記固定具には接続ピンと対応する位置にスリット溝が複数施されていることを特徴とする脊椎創外固定器。
【請求項２】
上記接続ピンは、その先端部に雄ねじ部を備え、固定ねじは、その頭部に、頂面から該接続ピンの雄ねじ部を螺合させる雌ねじ部を備えることを特徴とする請求項１記載の脊椎創外固定器。
【発明の詳細な説明】
【０００１】
【発明の属する技術分野】
本発明は湾曲、変形した人体の脊椎または脊椎動物の脊椎を矯正する脊椎創外固定器に関する。
【０００２】
【従来の技術】
脊椎の湾曲、変形の矯正治療は、手術によるか、創内に埋入させた脊椎創外固定器で行っている。
【０００３】
【発明が解決しようとする課題】
しかし、脊椎創外固定器による矯正治療は、脊椎に固定した固定ねじ相互の位置を後日調整する必要がある。しかし創内に固定した脊椎創外固定器ではこの調整を行う度に再手術する必要があり、この手術に伴う患者の肉体的苦痛に伴う負担が大きい等の不具合がある。
本発明はかかる不具合のない脊椎創外固定器を得ることを課題とする。
【０００４】
【課題を解決するための手段】
前記課題を解決する第１の手段は、請求項１記載のとおり、複数の椎体にそれぞれ固定して創内に埋入させる左右一対の固定ねじと、該固定ねじの頭部に接続して一部を創外に突出させる接続ピンと、各接続ピン相互の間隔を創外で調節可能に固定する固定具とから成る脊椎創外固定器において、上記固定ねじはその頭部に連通する細孔を備え、接続ピンは該細孔に挿着される針状突起を有すると共に、上記固定具には接続ピンと対応する位置にスリット溝が複数施されていることを特徴し、かかる構成を備えることで、各接続ピン相互の間隔の調節を創外から行うことができる。
【０００５】
また、第２の手段は、請求項２記載のとおり、請求項１の手段において、上記接続ピンは、その先端部に雄ねじ部を備え、固定ねじは、その頭部に、頂面から該接続ピンの雄ねじ部を螺合させる雌ねじ部を備えることを特徴とし、かかる構成を備えることで、該固定ねじへの接続ピンの接続を創外から簡単に行うことが出来る。
【０００６】
【発明の実施の形態】
本発明の実施の形態を図示するものに付き説明する。
図１〜図４で１は脊椎、２は椎体、２ａは横突起、２ｂは乳頭突起、Ｂは背中の表面を示す。
３は本発明の脊椎創外固定器を示し、該脊椎創外固定器３は、複数の椎体２のそれぞれ螺合して創内に埋込まれる左右一対の固定ねじ４と、該固定ねじ４の頭部４ａに接続して一部を創外に突出させる接続ピン５と、各接続ピン５相互の間隔を創外で調節可能に固定する固定具６とで構成される。
【０００７】
これを更に詳細に説明すると、固定ねじ４は、その頭部４ａに軸線方向に沿う窪みを備え、その内周面にねじを施して雌ねじ部４ｂとし、該固定ねじ４を各椎体２に螺合した後該雌ねじ部４ｂに、接続ピン５の雄ねじ部５ａを螺合させて固定ねじ４に接続ピン５を接続させる。接続ピン５には図６で示すように針状突起５ｂが設けられている。
【０００８】
なお、該固定ねじ４の中心には、その長さ方向に伸び且つ雌ねじ部４ｂと連通する細孔４ｃを備え、雌ねじ部４ｂへの雄ねじ部５ａの螺合に先だって、接続ピン５の先端中心から突出する前記針状突起５ｂが該細孔４ｃに挿着され、これが案内となって、雌ねじ部４ｂへの雄ねじ部５ａの螺合をし易くした。
【０００９】
なお、固定ねじ４と接続ピン５との間にはパッキンを介在させて、該雌ねじ部４ｂ内に体液等が侵入しないようにした。
【００１０】
この実施の形態の固定具６は、図５に示すように接続ピン５と対応する位置に多数の十字状のスリット溝Ａ−１を施した金属板Ａで構成した。
【００１１】
またこの固定具６に固定する接続ピン５は、その頭部に膨大部５ｃと該膨大部５ｃから突出するねじ部５ｄとを備え、該ねじ部５ｄを板材Ａのスリット溝Ａ−１に挿着した後該ねじ部５ｄに施したナット５ｅによって、板材Ａに接続ピン５を締付け固定させるようにした。
【００１２】
かくすることで、調節を必要とするナット５ｅを緩めた後、該十字状のスリット溝Ａ−１に沿って該接続ピン５を移動させれば、創外で簡単に各ピン５の相互の位置を調節でき、その後ナット５ｅを締めれば、各接続ピン５は相互の位置を調節された状態で固定具６に固定出来る。
【００１３】
図７に示す固定具６は、脊椎１の長さ方向に沿う２本のロッドＣ，Ｃで構成し、各ロッドＣに脊椎１のそれぞれの側に設けた接続ピン５を頭部で結着固定させるようにした。
【００１４】
これを更に説明すると、ロッドＣ，Ｃは、周面にローレット等の滑り止めを施した金属杆からなり、接続ピン５は、図８に示すごとく、その頭部に該ロッドＣが嵌まり込む凹部５ｆを備えるとともに、該凹部５ｆを施した部分の外周にねじ５ｇを施し、該ねじ５ｇ部にナット５ｈを施してナット５ｈを締めることで、ロッドＣの適宜位置に接続ピン５を結着固定できるようにした。
【００１５】
本発明の脊椎創外固定器による治療は、手術によって脊椎１を露出させ、椎体２の横突起２ａと乳頭突起２ｂとの間に図２に示すように固定ねじ４をねじ込み固定する。このとき固定ねじ４に接続ピン５を接続する。そしてこの手術と同時に、または一旦縫合した後、後日各接続ピン５を創外で固定具６に固定させる。
【００１６】
そして、各接続ピン５相互の間隔を調節する必要があるときは、創外から簡単に該固定具６への固定位置を調節することができる。
【００１７】
また、固定ねじ４と、この固定ねじ４の頭部に接続して一部を創外に突出させる接続ピン５を用い、各接続ピンを創外で固定具６に固定させるようにしたことで、別の接続ピン並びに固定具を別のものと簡単に交換出来、また脊椎の湾曲、変形脊椎の湾曲が完治したところで、該接続ピン５から外側のみを取り除くことで、大きな手術をすることなく脊椎創外固定器を外すことができる。
【００１８】
【発明の効果】
以上のように、請求項１の発明においては、各接続ピン相互の間隔を創外で調節できるので、各接続ピン相互の間隔を調整するための手術をする必要がなくなって、矯正治療に伴う患者の肉体的負担を軽減出来る。また請求項２の発明においては、各接続ピンを簡単に固定ピンに接続できる。
【図面の簡単な説明】
【図１】  本発明の実施の形態の１例を示す側面図
【図２】  図１の要部拡大図
【図３】  固定ねじの斜視図
【図４】  固定ねじの截断側面図
【図５】  固定具の１例を示す平面図
【図６】  接続ピンの斜視図
【図７】  本発明の他の実施の形態を示す正面図
【図８】  図７に使用する接続ピンの斜視図
【符号の説明】
２  椎体              ４  固定ねじ              ４ａ  頭部
４ｂ  雌ねじ部          ５  接続ピン              ５ａ  雄ねじ部
６  固定具
【図１】
0003691565.tif 000002
【図２】
0003691565.tif 000003
【図３】
0003691565.tif 000004
【図４】
0003691565.tif 000005
【図５】
0003691565.tif 000006
【図６】
0003691565.tif 000007
【図７】
0003691565.tif 000008
【図８】
0003691565.tif 000009